(57)【要約】【課題】容器を傾けて内溶液を注出する際に、注出孔から吐出された内溶液が注出筒の内周面に沿って広がるのを抑制して、注出筒からまとまり良く内溶液を注出できる注出筒付き蓋を提供する。【解決手段】容器本体１１の口頸部１２に取り付けられる蓋本体１４と上蓋１５とからなり、蓋本体１４には底板１６を有する注出筒１３が設けられ、底板１６の易破断部１８を引き裂くことによって注出孔１９が形成される開口予定部２０を有する注出筒付き蓋１０であって、開口予定部２０は注出方向Ｘに直交する方向の幅が、少なくとも注出側で狭幅にて形成され、注出筒１３の底板部１６には、開口予定部２０の近傍から注出筒１３の先端側に向かう液誘導面３１が形成され、この液誘導面３１は、注出方向Ｘに直交する方向において開口予定部２０から注出筒１３側に上り勾配となった第１斜面３１ａを備える。【選択図】図２
2008285186.tif 000002
【特許請求の範囲】
【請求項１】
容器本体の口頸部に取り付けられる蓋本体と上蓋とからなり、蓋本体には底板部を有する注出筒が設けられ、該底板部の易破断部を破断することによって注出孔が形成される開口予定部を有する注出筒付き蓋であって、
前記開口予定部は注出方向に直交する方向の幅が、少なくとも注出側で狭幅にて形成され、
前記注出筒の底板部には、前記開口予定部の近傍から前記注出筒の先端側に向かう液誘導面が形成され、該液誘導面は、前記注出方向に直交する方向において前記開口予定部から前記注出筒側に上り勾配となった第１斜面を備える注出筒付き蓋。
【請求項２】
前記液誘導面は、前記注出方向と平行な方向において前記注出方向に上り勾配となった第２斜面を前記第１斜面と連続させて備える請求項１に記載の注出筒付き蓋。
【請求項３】
前記液誘導面は、前記底板部の少なくとも注出側で前記第１斜面及び前記第２斜面の双方を備える請求項２に記載の注出筒付き蓋。
【請求項４】
前記液誘導面の注出側には、前記開口予定部の近傍から前記第１斜面よりも急勾配で立ち上がって前記液誘導面に連続する誘導壁が形成される請求項３に記載の注出筒付き蓋。
【請求項５】
前記液誘導壁は、前記開口予定部の近傍から略垂直に立ち上がる部分を有する請求項４に記載の注出筒付き蓋。
【発明の詳細な説明】
【技術分野】
【０００１】
本発明は、注出筒付き蓋に関し、特に内溶液を収容する容器本体の口頸部に取り付けて用いられ、有底円筒状の注出筒を備える蓋本体と、上蓋とからなる注出筒付き蓋に関する。
【背景技術】
【０００２】
内溶液を収容する容器本体の口頸部に取り付けて用いられる蓋として、例えば蓋本体と上蓋とからなり、蓋本体は有底円筒状の注出筒を備えると共に、溝や薄肉部で形成された易破断部からなるスコアを引き裂くことによって注出孔が形成される開口予定部を注出筒の底板部に有する注出筒付き蓋が知られている（例えば、特許文献１参照）。
【０００３】
このような注出筒付き蓋では、一般に、注出筒の底板部に脚片を介して一体として設けられたプルリングを引き上げることにより、スコアに沿って開口予定部を破断除去して注出孔を形成するようになっている。またこのような注出筒付き蓋では、形成された注出孔から内容液を吐出し注出筒の先端から内容液を注出しているが、さらに注出のし易さを改良し、又は注出量を調整可能とするための種々の工夫がなされている（例えば、特許文献２、特許文献３参照）。
【特許文献１】特開２００１−９７４３２号公報
【特許文献２】特開２００３−４０２９９号公報
【特許文献３】特開２００３−３２１０４３号公報
【発明の開示】
【発明が解決しようとする課題】
【０００４】
一方、従来の注出筒付き蓋では、プルリングを注出筒の内側に収容すると共に、上蓋に設けられたシール部を、上蓋に近い位置で注出筒の先端部内側面に密着させることが好ましいために、注出筒は底板部から相当の高さで立設して設けられている。したがって、容器を傾けて内溶液を注出しようとすると、注出孔から吐出された内溶液は、注出筒を通過する際に、これの円弧状の内周面に沿ってその幅が広がり、また広がった状態から戻ろうとして流れがぶつかり合うことにより、注出筒の先端からの注出時に内容液がまとまりにくくなり、液散らばりを生じやすくなる。このような液散らばりの傾向は、特に容器の傾きが大きくなって注出量が多くなると顕著になり、例えば特許文献２の如く注出筒の先端周縁部にくちばし形状部分を突出させるだけでは、液散らばりを抑制することは困難である。
【０００５】
本発明は、容器を傾けて内溶液を注出する際に、注出孔から吐出された内溶液が注出筒の内周面に沿って広がって液散らばりが生じるのを効果的に抑制して、注出筒からまとまり良く内溶液を注出させることのできる注出筒付き蓋を提供することを目的とする。
【課題を解決するための手段】
【０００６】
本発明は、容器本体の口頸部に取り付けられる蓋本体と上蓋とからなり、蓋本体には底板部を有する注出筒が設けられ、該底板部の易破断部を破断することによって注出孔が形成される開口予定部を有する注出筒付き蓋であって、前記開口予定部は注出方向に直交する方向の幅が、少なくとも注出側で狭幅にて形成され、前記注出筒の底板部には、前記開口予定部の近傍から前記注出筒の先端側に向かう液誘導面が形成され、該液誘導面は、前記注出方向に直交する方向において前記開口予定部から前記注出筒側に上り勾配となった第１斜面を備える注出筒付き蓋を提供することにより、上記目的を達成したものである。
【発明の効果】
【０００７】
本発明の注出筒付き蓋によれば、容器を傾けて内溶液を注出する際に、注出孔から吐出された内溶液が注出筒の内周面に沿って広がって液散らばりが生じるのを効果的に抑制して、注出筒からまとまり良く内溶液を注出させることができる。
【発明を実施するための最良の形態】
【０００８】
図１に示す本発明の好ましい一実施形態に係る注出筒付き蓋１０は、内溶液を収容する容器として、例えば醤油を収容した容器１１の口頸部１２に取り付けて用いられ、少量づつ注出させる場合や多量に注出させる場合のいずれにおいても、注出筒１３からまとまり良く内溶液を注出できるようにするために採用されたものである（図５（ａ），（ｂ）参照）。すなわち、注出筒付き蓋では、プルリングを引き上げることにより易破断部からなるスコアを破断して破断部を除去して注出孔を形成する。形成した注出孔から注出筒を経て内溶液を注出する際に、注出孔から吐出された内溶液は、特に容器を大きく傾けて吐出量が多くなると、注出筒を通過する時に円弧状の内周面に沿ってその幅が広がり、また広がった状態から戻ろうとして流れがぶつかり合うことにより、注出筒の先端からの注出時に内容液がまとまりにくくなって、液散らばりを生じやすくなることから、このような液散らばりが生じるのを効果的に抑制できるようにするために、本実施形態の注出筒付き蓋１０が採用されたものである。
【０００９】
そして、本実施形態の注出筒付き蓋１０は、図２（ａ），（ｂ）及び図３（ａ），（ｂ）にも示すように、容器本体１１の口頸部１２に取り付けられる蓋本体１４と上蓋１５とからなり、蓋本体１４には底板部１６を有する注出筒１３が設けられ、底板部１６の易破断部１８を引き裂く等、破断することによって注出孔１９が形成される開口予定部２０を有する蓋である。そして、開口予定部２０は注出方向Ｘに直交する方向の幅が、少なくとも注出側で狭幅にて形成され、好ましくは、注出方向Ｘに沿う中心線に線対称形状に形成され、さらに好ましくは底板部１６の径方向に沿って縦長に設けられる。また注出筒１３の底板部１６には、開口予定部２０の近傍から注出筒１３の先端側に向かう液誘導面３１が形成され、この液誘導面３１は、注出方向Ｘに直交する方向において開口予定部２０から注出筒１３側に上り勾配となった第１斜面３１ａを備える。この第１斜面３１ａは、開口予定部２０の注出方向Ｘに直交する方向の両側に設けることが好ましく、この第１斜面３１ａによって、注出孔１９から吐出される内容液が注出筒１３の内周面に沿って拡がることを抑制している。また、液誘導面３１は、少なくとも、内容液の注出時に下側に配置される領域である注出側に形成することが好ましい。
【００１０】
また、本実施形態では、液誘導面３１は、注出方向Ｘと平行な方向において注出方向Ｘに上り勾配となった第２斜面３１ｂを第１斜面３１ａと連続させた状態で備えている。
【００１１】
さらに、本実施形態では、液誘導面３１は、底板部１６の少なくとも注出側で第１斜面３１ａ及び第２斜面３１ｂの双方を合体させた状態で備えている。
【００１２】
さらにまた、本実施形態では、液誘導面３１の注出側には、開口予定部２０の近傍から第１斜面３１ａよりも急勾配で立ち上がって液誘導面３１に連続する誘導壁１７が、注出方向Ｘに直交する方向の両側に形成されている。誘導壁１７は、注出方向Ｘに直交する方向における開口予定部２０との角度が、液誘導面３１の第１斜面３１ａよりも大きく形成され、即ち、誘導壁１７は、開口予定部２０に対して液誘導面３１の第１斜面３１ａよりも急勾配で立ち上がる（図４（ａ），（ｂ）参照）。
【００１３】
本実施形態では、蓋本体１４と上蓋１５は、ポリエチレン、ポリプロピレン等の合成樹脂を用いて例えば射出成形することにより、ヒンジ結合部２４を開いた状態で一体として形成される。蓋本体１４は、主として、円環帯状の天面部２５と、天面部２５の外周縁部から下方に延設するスカート壁部２６と、天面部２５から上方に突出して設けられた、当該天面部２５と同心状に配置される有底円筒状の注出筒１３とからなる。スカート壁部２６の下端部内側面には、環状係合凸リブ２７が内側に突出して設けられている。この環状係合凸リブ２７を、容器本体１１の口頸部１２の外周面に設けれらた環状係合凹溝２８に嵌合係止して、蓋本体１４を口頸部１２に嵌め込むことにより、注出筒付き蓋１０が容器本体１１に装着固定される。蓋本体１４を容器本体１１の口頸部１２に嵌め込んだ際に、円環帯状の天面部２５から下方に突出して設けられたインナーリング２９が、スカート壁部２６との間に口頸部１２の上端部分を挟み込むようにしつつ、口頸部１２の内側面に密着することにより、強固なシール性を発揮して、容器本体１１の内部に内溶液を封入する。
【００１４】
また、本実施形態では、有底円筒状の注出筒１３は、これの円筒部３０が天面部２５よりも僅かに下方に延設することにより、円筒部３０の下部を閉塞する底板部１６の、開口予定部２０が設けられる最も低い部分は、天面部２５よりも一段下がった位置に配置される。そして、この底板部１６の最も低い部分には、易破断部１８を引き裂くことによって注出孔１９が形成される開口予定部２０が、底板部１６の径方向に沿って縦長に設けられる。
【００１５】
易破断部１８は、例えば上面側を薄肉に残して底板部１６の下面側に形成されたＶ字断面形状の切断溝からなり、いわゆるスコアと呼ばれる、容易に切り裂かれて破断することが可能な線状部分である。
【００１６】
易破断部１８によって囲まれる開口予定部２０は、本実施形態では、図２（ｂ）に示すように、注出筒１３の内側における、容器本体１１を傾けて内溶液を注出する際に下部に配置される注出側の部分の縁部から、ヒンジ結合部２４側に向けて径方向に沿って延設する、例えば１〜５ｍｍ程度の幅の細幅帯状部２０ａと、ヒンジ結合部２４側の部分でこの細幅帯状部２０ａの端部に連接する略楕円形状の拡幅基端部２０ｂとからなる。開口予定部２０は、注出方向Ｘに直交する方向の幅が少なくとも注出側で狭幅に形成されているが、狭幅の形状は、例えば、注出方向Ｘに直交する方向の幅が概ね等しい細長い棒形状であっても良いし、注出方向Ｘに直交する方向の幅が注出側から反対側に向かうに従って幅広となる扇形状であっても良い。すなわち、開口予定部２０は、狭幅の部分（細幅帯状部２０ａ）を有していることにより、当該狭幅の部分によって、内溶液の注出方向Ｘを示す方向性を備えることになり、また当該狭幅の部分から内溶液を細口で吐出できるようになっている（注出筒３０の周方向において、開口予定部２０の狭幅の部分が位置する領域が注出側となる。本実施形態では、開口予定部２０は線対称形状に形成されているので、開口予定部２０の対称線上における狭幅の部分が注出側となる。）。また、開口予定部２０の拡幅基端部２０ｂには、当該開口予定部２０に一体接合されて支持脚部３２が立設すると共に、この支持脚部３２により支持されて、開封用把持リング（プルリング）３３が、注出筒１３の円筒部３０の内側に収まるようにして、底板部１６の上方に配置される。
【００１７】
本実施形態では、底板部１６に形成された開口予定部２０の少なくとも注出側の部分には（本実施形態では、開口予定部２０の注出方向Ｘの略全長に亘る部分）、開口予定部２０の近傍から注出方向Ｘに直交する方向の外側に向けて注出筒３０の先端側に滑らかな上り勾配で傾斜する第１斜面３１ａを備える液誘導面３１が、開口予定部２０の両側に設けられている。これによって、底板部１６の上面の注出方向Ｘと直交する方向に沿った断面形状は、開口予定部２０を谷底部とし、両側の円筒部３０に向けて上り勾配となった谷形状となる（図４（ａ），（ｂ）参照）。なお、液誘導面３１を構成する注出方向Ｘと直交する方向の滑らかな第１斜面３１ａは、直線状に傾斜する傾斜面の他、凹状又は凸状に湾曲しながら上方（注出筒３０の先端側）に向けて傾斜する湾曲傾斜面であっても良い。
【００１８】
また、本実施形態では、液誘導面３１は、注出方向Ｘに向けて注出筒１３の先端側に滑らかな上り勾配で傾斜する第２斜面３１ｂを備えている。すなわち、開口予定部２０の両側の液誘導面３１は、上述のように、第１斜面３１ａによって、円筒部３０に向けて注出方向Ｘと直交する方向に上り勾配となっていると共に、第２斜面３１ｂによって、拡幅基端部２０ｂ側が低く、注出方向Ｘである細幅帯状部２０ａ側に向けて高くなった上り勾配となっている。なお、液誘導面３１を構成する注出方向Ｘの滑らかな第２斜面３１ｂは、直線状に傾斜する傾斜面の他、凹状又は凸状に湾曲しながら上方（注出筒３０の先端側）に向けて傾斜する湾曲傾斜面であっても良い。
【００１９】
さらに、本実施形態では、第２斜面３１ｂによる注出方向Ｘの上り勾配によって液誘導面３１が高くなる部分である、開口予定部２０の注出側の端部には、これの両側に、液誘導面３１の第１斜面３１ａよりも急勾配の誘導壁１７が、各々、開口予定部２０の近傍から注出方向Ｘに直交する方向の外側に向けて注出筒１３の先端側に傾斜して設けられている。すなわち、誘導壁１７は、開口予定部２０の注出側の端部において、開口予定部２０の両側から注出筒１３の先端側に向かって互いの間隔げ広げつつ（図４（ａ）参照）、略三角形の側面形状の急勾配の法面３４を形成するように立設して設けられる。
【００２０】
なお、本実施形態では、開口予定部（注出孔１９）の両側の誘導壁１７は、図４（ａ）に示すように、開口予定部（注出孔１９）の近傍から注出方向Ｘと直交する方向の外側に向かって注出筒３０の先端側に傾斜する上り勾配で設けられている。また、誘導壁１７は、図４（ｂ）に示すように、開口予定部（注出孔１９）の近傍から垂直部３５を介して垂直又は略垂直に立ち上がった後に、急勾配の法面３４を形成して液誘導面３１に連続させることもできる。
【００２１】
そして、本実施形態では、円環帯状の天面部２５には、注出筒１３の外側に同心状に配置されて、環状係止リブ２３が上方に突出して設けられている。この環状係止リブ２３に、上蓋１５の周壁３７の下端部内側面に設けられた係止凹部３８を着脱可能に係止することにより、上蓋１５を蓋本体１４に対して開閉できるようになっている。
【００２２】
上蓋１５は、上述のように、ヒンジ結合部２４を介して蓋本体１４に回動可能に連結された状態で、蓋本体１４と一体として成形される。上蓋１５は、円盤形状の天板部３９と、天板部３９の外周縁部から下方に延設する周壁３７とからなり、周壁３７の下端部内側面には、蓋本体１４の環状係止リブ２３と着脱可能に係止される上述の係止凹部３８が設けられている（図３（ａ）参照）。また、上蓋１５の天板部３９の下面には、リング状シール部２１が下方に突出して設けられている。上蓋１５を閉塞した際に、このリング状シール部２１を注出筒１３の先端部内側面に密着させることにより、注出孔１３の開口後の液シール性を保持することができるようになっている。なお、本実形態では、注出筒１３の先端部分には、液切れを良くするためのかえし部が設けられている。
【００２３】
本実施形態の注出筒付き蓋１０は、内部に内溶液として例えば醤油が収容された容器本体１１の口頸部１２に装着固定され、容器本体１１内の内溶液と共に例えば醤油入り容器として商品化される。醤油入り容器を購入した消費者は、蓋本体１４に対して上蓋１５を開いた後に、プルリング３３を引き上げることにより、易破断部１８に沿って開口予定部２０を破断除去して開口予定部２０と同じ形状の注出孔１９を形成し、形成した注出孔１９から内溶液を吐出して対象物に内容液を注出したり、又は他の容器に移し替える作業を行うことができる。
【００２４】
そして、上述の構成を有する本実施形態の注出筒付き蓋１０によれば、容器１１を傾けて内溶液を注出する際に、注出孔１９から吐出された内溶液が注出筒１３の内周面に沿って広がって液散らばりが生じるのを効果的に抑制して、注出筒１３からまとまり良く内溶液を注出させることが可能になる。
【００２５】
すなわち、本実施形態によれば、開口予定部２０は注出方向Ｘに直交する方向の幅が、少なくとも注出側で狭幅にて形成され、注出筒１３の底板部１６には、開口予定部２０の近傍から注出筒１３の先端側に向かう液誘導面３１が開口予定部２０の両側に形成され、この液誘導面３１は、注出方向Ｘに直交する方向において開口予定部２０から注出筒１３側に上り勾配となった第１斜面３１ａを備えている。したがって、容器本体１１を傾けて内溶液が開口予定部２０と同形状の注出孔１９から吐出される際に、吐出された内容液は、注出筒１３の内側において、開口予定部２０を谷底部として谷形状に配置された液誘導面３１の第１斜面３１ａの作用によって中央部分に集約され、注出孔１９から注出筒１３の先端に至る過程で注出筒１３の周方向に沿う広がりを効果的に抑制するので、注出孔１９から吐出された内容液が注出筒１３の注出側端部に向かってスムーズに流下し、同時に液散らばりを防止することができる。そして、液誘導面３１の第１斜面３１ａによって誘導されて注出された内溶液は、図５（ａ），（ｂ）に示すように、注出筒１３の先端部周辺で注出孔１９の付近にまとまりやすくなる。これによって、少量づつ内溶液を注出させる場合や多量に内溶液を注出させる場合のいずれにおいても、液散らばりが生じるのを抑制しつつ、注出筒１３からまとまり良く内溶液を注出させることが可能になる。
【００２６】
また、本実施形態では、液誘導面３１は、第１斜面３１ａに加えて注出方向Ｘに上り勾配となった第２斜面３１ｂを備えているので、注出孔１９から吐出されて注出筒１３の内周面に沿って広がる内容液を第１斜面３１ａによって注出孔１９の側に集約しつつ、第２斜面３１ｂによって注出方向Ｘにスムーズに誘導することが可能で、注出筒１３の注出側先端領域に注出孔１９から吐出された内容液を集約しつつ、液散らばりが生じるのを抑制し、注出筒１３からさらにまとまり良く内容液を注出させることが可能になる。
【００２７】
さらに、本実施形態では、注出孔１９の注出側の両側には、液誘導面３１の第１斜面３１ａよりも急勾配の誘導壁１７が設けられているので、注出孔１９から吐出され、注出側に集まる内容液が注出筒１３の内周面に沿って拡がることを液誘導面３１によって効果的に防止することが可能で、液散らばりが生じるのを抑制しつつ、注出筒１３からさらにまとまり良く内容液を注出させることが可能になる。
【００２８】
なお、本発明は上記実施形態に限定されることなく種々の変更が可能である。例えば、開口予定部（注出孔）は、内溶液を注出する際の下部側の細幅帯状部とこれと反対側の拡幅基端部とからなる形状を備える必要は必ずしもなく、注出方向に直交する方向の幅が少なくとも注出側で狭幅にて形成されたその他の種々の形状に形成することができる。例えば、図６（ａ）〜（ｈ）に示すような形状のものを採用することができる。また、本実施形態では、使用者に注出方向を認識させる注出方向誘導手段として、上蓋と蓋本体とのヒンジ結合部が設けられ、ヒンジ結合部に対して径方向反対側を注出方向としている。上蓋と蓋本体との間にヒンジ結合部を設ける必要は必ずしもなく、例えば雄ネジ及び雌ネジを介したネジ嵌合によって、上蓋と蓋本体とを着脱開閉可能としても良い。この場合の注出方向誘導手段としては、例えば注出筒の先端部分の一部に周方向外側に突出したくちばし形状の突出部を設けたり、注出筒の先端縁の一部を外側にカールさせるかえし部を設けたり、印刷や凹凸模様等によって注出方向を明示することにより、使用者に注出方向を容易に認識させることが可能になる。
【図面の簡単な説明】
【００２９】
【図１】本発明の好ましい一実施形態に係る注出筒付き蓋を、容器の口頸部に装着した状態の断面図である。
【図２】（ａ）は、本発明の好ましい一実施形態に係る注出筒付き蓋の、開口予定部を除去する前の状態の断面図、（ｂ）は、上蓋を開いた状態の蓋本体の上面図である。
【図３】（ａ）は、本発明の好ましい一実施形態に係る注出筒付き蓋の、開口予定部を除去して注出孔を形成した状態の断面図、（ｂ）は、上蓋を開いた状態の蓋本体の上面図である。
【図４】（ａ），（ｂ）は、誘導壁の好ましい形状を例示する、図２（ｂ）のＡ−Ａに沿った断面図である。
【図５】（ａ）は、注出筒を介して注出孔から内容液を少量注出する状態の説明図、（ｂ）は、内容液を多量に注出する状態の説明図である。
【図６】（ａ）〜（ｈ）は、開口予定部（注出孔）の他の形状を例示する上面図である。
【符号の説明】
【００３０】
１０  注出筒付き蓋
１１  容器本体
１２  口頸部
１３  注出筒
１４  蓋本体
１５  上蓋
１６  注出筒の底板部
１７  誘導壁
１８  易破断部（スコア）
１９  注出孔
２０  開口予定部
２０ａ  開口予定部の細幅帯状部
２０ｂ  開口予定部の拡幅基端部
２１  リング状シール部
２４  ヒンジ結合部
２９  インナーリング
３０  注出筒の円筒部
３１  液誘導面
３１ａ  液誘導面の第１斜面
３１ｂ  液誘導面の第２斜面
３２  支持脚部
３３  開封用把持リング（プルリング）
３９  上蓋の天板部
Ｘ    注出方向
【図１】
2008285186.tif 000003
【図２】
2008285186.tif 000004
【図３】
2008285186.tif 000005
【図４】
2008285186.tif 000006
【図５】
2008285186.tif 000007
【図６】
2008285186.tif 000008